【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
加速器を動作する方法であって、
第１の出力（power）及び第１の周波数を有する第１の無線周波数出力パルスを発生させるステップと、
前記第１の出力とは異なる第２の出力（power）及び前記第１の周波数とは異なる第２の周波数を有する第２の無線周波数出力パルスを発生させるステップと、
前記第１及び第２の無線周波数出力パルスを単一の加速器の共振空洞に、所定の順序で提供するステップと、
前記第１の無線周波数出力パルスを前記加速器に提供する間、第１の荷電粒子を前記加速器の前記共振空洞に提供するステップと、
前記第１の無線周波数出力パルスを前記加速器に提供する間、前記第１の荷電粒子を、第１の共振周波数で第１のエネルギーに加速するステップと、
前記第１の無線周波数出力パルスを前記加速器に提供する間、前記第１の無線周波数出力パルスの前記第１の周波数を、前記加速器の第１の共振周波数に一致させるステップと、
前記第２の無線周波数出力パルスを前記加速器に提供する間、第２の荷電粒子を前記加速器の前記共振空洞に提供するステップと、
前記第２の無線周波数出力パルスを前記加速器に提供する間、前記第２の荷電粒子を、前記第１のエネルギーとは異なる第２のエネルギーに加速するステップと、
前記第２の無線周波数出力パルスを前記加速器に提供する間、前記第２の無線周波数出力パルスの前記第２の周波数を、前記第１の共振周波数とは異なる前記加速器の第２の共振周波数に一致させるステップと、
を含む、方法。
【請求項２】
第１の電気出力と、当該第１の電力出力とは異なる第２の電気出力とを、出力発生器に順番に提供し、少なくとも部分的には前記第１及び第２の電力出力に基づいて、前記出力発生器により、前記第１及び第２の無線周波数出力パルスを順番に発生することにより、前記第１及び第２の無線周波数出力パルスを発生させるステップ
を更に含む、請求項１に記載の方法。
【請求項３】
前記出力発生器は、機械的に同調可能なマグネトロンを備え、
前記マグネトロンの前記第１の周波数を、前記第１の周波数のみの自動周波数制御によって、前記加速器の前記第１の共振周波数に一致させるステップと、
前記第２の無線周波数出力パルスを発生させている間、前記加速器における第２の共振周波数の周波数偏移に、前記マグネトロンにおける周波数偏移を一致させる電圧で前記マグネトロンを駆動することにより、前記第２の無線周波数出力パルスの第２の周波数を、前記加速器の前記第２の共振周波数に少なくとも部分的に一致させるステップと
を含む、請求項２に記載の方法。
【請求項４】
位相ワンドにより、前記第２の無線周波数出力パルスの前記第２の周波数を、前記第２の共振周波数に一致させるステップ
を更に含む、請求項３に記載の方法。
【請求項５】
出力発生器は、クライストロン又は電気的に同調可能なマグネトロンを備え、
前記方法は、
前記第１の無線周波数出力パルスの前記第１の周波数を、第１の自動周波数制御器によって、前記加速器の第１の共振周波数に一致させるステップと、
前記第２の無線周波数出力パルスの前記第２の周波数を、前記第１の自動周波数制御器とは異なる第２の自動周波数制御器によって、前記第２の共振周波数に一致させるステップと
を含む、請求項１又は２に記載の方法。
【請求項６】
前記出力発生器は、無線周波数出力源により駆動されるクライストロンを有し、
前記方法は、
前記第１の無線周波数出力パルスを前記加速器に提供する間、前記第１の自動周波数制御器により、前記無線周波数出力源の第１の出力周波数を前記加速器の前記第１の共振周波数に一致させることによって、前記第１の無線周波数出力パルスの前記第１の周波数を前記加速器の前記第１の共振周波数に一致させるステップと、
前記第２の無線周波数出力パルスを前記加速器に提供する間、前記第２の自動周波数制御器により、前記無線周波数出力源の第２の出力周波数を前記加速器の前記第２の共振周波数に一致させることによって、前記第２の無線周波数出力パルスの前記第２の周波数を前記加速器の前記第２の共振周波数に一致させるステップと
を含む、請求項５に記載の方法。
【請求項７】
荷電粒子源により前記第１の無線周波数出力パルスが前記加速器に提供される間、第１のビーム電流において、前記第１の荷電粒子を前記加速器の前記共振空洞に提供するステップと、
前記荷電粒子源により前記第２の無線周波数出力パルスが前記加速器に提供される間、前記第１のビーム電流とは異なる第２のビーム電流において、前記第２の荷電粒子を前記加速器の前記共振空洞に提供するステップと
を更に含む、請求項２〜６のいずれか１項に記載の方法。
【請求項８】
前記荷電粒子源を、第１の電気出力と当該第１の電力出力とは異なる第２の電気出力により順番に駆動することにより、前記第１の荷電粒子及び前記第２の荷電粒子を提供するステップ
を含む、請求項７に記載の方法。
【請求項９】
第１の所定数の第１の無線周波数出力パルスと、これに続く第２の所定数の第２の無線周波数出力パルスを含む交互シーケンスにおいて、前記第１及び第２の無線周波数出力パルスを前記単一の加速器の前記共振空洞に提供するステップ
を含む、請求項１〜８のいずれか１項に記載の方法。
【請求項１０】
前記第１及び第２の所定数は１である、請求項９に記載の方法。
【請求項１１】
前記第１の無線周波数出力パルス及び前記第２の無線出力パルスをそれぞれ生成するために、第１の電力出力及び当該第１の電力出力と異なる第２の電力出力を、第１の電力出力源によって前記出力発生器に提供するステップと、
前記第１の荷電粒子及び前記第２の荷電粒子をそれぞれ提供するために、第３の電力出力及び当該第３の電力出力と異なる第４の電力出力を、第２の電力出力源によって前記荷電粒子源に提供するステップと
を含む、請求項３に記載の方法。
【請求項１２】
前記第１及び第２の電力出力原は同じである、請求項１１に記載の方法。
【請求項１３】
加速された前記第１の荷電粒子をターゲットに衝突させて、第１のエネルギーの放射線を発生させるステップと、
前記第２の荷電粒子を前記ターゲットに衝突させて、前記第１のエネルギーとは異なる第２のエネルギーを有する放射線を発生させるステップと
を含む、請求項１〜１２のいずれか１項に記載の方法。
【請求項１４】
多重エネルギー放射線源であって、
荷電粒子を加速するための共振空洞を有する加速器と、
荷電粒子を前記加速器の前記共振空洞に提供するために前記加速器に連結される荷電粒子源と、
加速された前記荷電粒子との衝突により放射線の発生が引き起こされる、前記加速器の下流にあるターゲットと、
第１の無線周波数出力パルスと、当該第１の無線周波数出力パルスとは異なる出力（power）及び周波数を有する第２の無線周波数出力パルスとを、前記加速器の前記共振空洞に対して選択的に提供するために前記加速器に連結される出力発生器と、
前記第１の無線周波数出力パルスが前記加速器に提供されている間、前記出力発生器の第１の周波数を前記加速器の第１の共振周波数に一致させる第１の手段と、
前記第２の無線周波数出力パルスが前記加速器に提供されている間、前記出力発生器の第２の周波数を前記加速器の第２の共振周波数に一致させる、前記第１の手段とは異なる第２の手段と、
を備え、
前記加速器は、前記第１の無線周波数出力パルスが前記加速器に提供されるとき、前記荷電粒子源により供給される第１の電子を、第１の共振周波数で、第１のエネルギーに加速し、前記第２の無線周波数出力パルスが前記加速器に提供されるとき、前記荷電粒子源により供給される第２の電子を、前記第１の共振周波数とは異なる第２の共振周波数で、前記第１のエネルギーとは異なる第２のエネルギーに加速し、
前記第１の荷電粒子の前記ターゲットに対する衝突により、第１のエネルギーの放射線が発生され、前記第２の荷電粒子の前記ターゲットに対する衝突により、前記第１のエネルギーとは異なる第２のエネルギーの放射線が発生される、
多重エネルギー放射線源。
【請求項１５】
前記出力発生器を第１の電気出力で駆動して、前記第１の無線周波数出力パルスを発生すると共に、前記出力発生器を前記第１の電気出力とは異なる第２の電気出力で駆動して、前記第２の無線周波数出力パルスを発生する変調器
を更に含む、請求項１４に記載の多重エネルギー放射線源。
【請求項１６】
前記変調器は、少なくとも第１及び第２の異なる電圧を前記荷電粒子源に選択的に提供するように構成されると共に、少なくとも第１及び第２の異なる粒子電流を前記加速器に提供するように構成されており、
前記第１の電圧は、前記第１の無線周波数出力パルスが前記加速器に提供される間、前記第１の荷電粒子を前記共振空洞に提供するために、前記荷電粒子源に提供され、
前記第２の電圧は、前記第２の無線周波数出力パルスが前記加速器に提供される間、前記第２の荷電粒子を前記共振空洞に提供するために、前記荷電粒子源に提供される
請求項１５に記載の多重エネルギー放射線源。
【請求項１７】
前記出力発生器は、機械的に同調可能なマグネトロンを備え、
前記第１の手段は、自動周波数制御器を有し、
前記第２の手段は、前記加速器における前記第２の共振周波数の周波数偏移に、前記マグネトロンにおける周波数偏移を少なくとも部分的に一致させる電気出力により、前記機械的に同調可能なマグネトロンを駆動するように構成された前記変調器を有する
請求項１５又は１６に記載の多重エネルギー放射線源。
【請求項１８】
前記マグネトロンと前記加速器の間に位置し、前記加速器から前記マグネトロンに反射出力を提供して、前記マグネトロンの周波数を前記加速器の前記共振周波数に一致させる位相ワンド
を更に含む、請求項１６に記載の多重エネルギー放射線源。
【請求項１９】
前記出力発生器は、クライストロン又は電気的に同調可能なマグネトロンを備え、
前記第１の手段は、第１の自動周波数制御器を有し、
前記第２の手段は、前記第１の自動周波数制御器とは異なる第２の自動周波数制御器を有する
請求項１４〜１６のいずれか１項に記載の多重エネルギー放射線源。
【請求項２０】
前記出力発生器はクライストロンを有し、
更に、前記多重エネルギー放射線源は、
第３の無線周波数出力パルスを前記クライストロンに提供し、前記クライストロンによって前記第１の無線周波数出力パルスを発生させると共に、前記第３の無線周波数出力パルスとは異なる第４の無線周波数出力パルスを前記クライストロンに提供し、前記クライストロンによって前記第２の無線周波数出力パルスを発生させる、無線周波数出力源を有し、
前記第１の手段は、前記第１の無線周波数出力パルスを発生する間、前記無線周波数出力源に選択的に連結される第１の自動周波数制御器を有し、
前記第２の手段は、前記第２の無線周波数出力パルスを発生する間、前記無線周波数出力源に選択的に連結される、前記第１の自動周波数制御器とは異なる第２の自動周波数制御器を有する
請求項１９に記載の多重エネルギー放射線源。
【請求項２１】
前記第１の自動周波数制御器と前記第２の自動周波数制御器を選択的に切り替えるスイッチ
を更に含む、請求項１４〜２０のいずれか１項に記載の多重エネルギー放射線源。
【請求項２２】
前記変調器は、少なくとも第１及び第２の異なる電圧を前記荷電粒子源に選択的に提供するように構成され、
前記第１の電圧は、第１の荷電粒子ビーム電流を前記加速器に提供するために、前記第１の無線周波数出力パルスが前記加速器に提供される間、前記荷電粒子源に提供され、
前記第２の電圧は、前記第１の荷電粒子ビーム電流とは異なる第２の荷電粒子ビーム電流を前記加速器に提供するために、前記第２の無線周波数出力パルスが前記加速器に提供される間、前記荷電粒子源に提供される
請求項１５〜２１のいずれか１項に記載の多重エネルギー放射線源。
【請求項２３】
前記変調器から分離され、かつ、前記荷電粒子源に連結される電気出力源を更に有し、
前記電気出力源は、少なくとも第１及び第２の異なる電圧を前記荷電粒子源に選択的に提供するように構成され、
前記第１の電圧は、第１の荷電粒子ビーム電流を提供するために、前記第１の無線周波数出力パルスが前記加速器に提供される間、前記荷電粒子源に提供され、
前記第２の電圧は、前記第１の荷電粒子ビーム電流とは異なる第２の荷電粒子ビーム電流を提供するために、前記第２の無線周波数出力パルスが前記加速器に提供される間、前記荷電粒子源に提供される
請求項１５〜２２のいずれか１項に記載の多重エネルギー放射線源。
【請求項２４】
前記荷電粒子源は、前記加速器に連結され、前記加速器に電子を提供する電子銃を有する
請求項１４〜２３のいずれか１項に記載の多重エネルギー放射線源。